(57)【要約】【課題】屋根葺き作業でできる廃材の処理が効率的に行える平板瓦の梱包構造を提供する。【解決手段】平板瓦の梱包構造は、複数枚の平板瓦１を積み重ねた積層体２と、この積層体２を巻回する耐水性樹脂製の梱包バンド３と、この梱包バンド３と同一の材質からなり、積層体２の前端面の一部又は全部に密着する保護体４１と、を有してなる。具体的には、梱包バンド３は積層体２を横方向に巻回するものであり、保護体４１はテープ状をなし、両端が梱包バンド３に接合されて梱包バンド３に直交する方向に配置されてなる。【選択図】　図１
2004026198.tif 000002
【特許請求の範囲】
【請求項１】
複数枚の平板瓦を積み重ねた積層体と、この積層体を巻回する耐水性樹脂製の梱包バンドと、この梱包バンドと同一の材質からなり、積層体の前端面の一部又は全部に密着する保護体と、を有する平板瓦の梱包構造。
【請求項２】
前記梱包バンドは積層体を横方向に巻回するものであり、前記保護体はテープ状をなし、両端が梱包バンドに接合されて梱包バンドに直交する方向に配置されてなることを特徴とする請求項１に記載の平板瓦の梱包構造。
【請求項３】
前記梱包バンドは積層体を横方向に巻回するものであり、前記保護体はシート状とするとともに、両端が梱包バンドに接合されてなることを特徴とする請求項１に記載の平板瓦の梱包構造。
【請求項４】
前記保護体が前端面を覆うシュリンク梱包からなることを特徴とする請求項１に記載の平板瓦の梱包構造。
【請求項５】
前記保護体が接着シールからなることを特徴とする請求項１に記載の平板瓦の梱包構造。
【請求項６】
少なくとも前記梱包バンド又は保護体の表面に滑り防止材を塗布してなることを特徴とする請求項１乃至５のいずれかに記載の平板瓦の梱包構造。
【発明の詳細な説明】
【０００１】
【発明の属する技術分野】
本発明は、積み重ねた複数枚の平板瓦を、梱包バンド等を用いて梱包する構造に関するものである。
【０００２】
【従来の技術】
この種の平板瓦の梱包構造として、実開昭６３−３９８３号、実開昭６３−２３２８６号、特開平２−１５２６７２号等に開示されているものがある。これらに開示される梱包構造は、図７に示すように、スレート瓦のような平板瓦１を５枚から１０枚程度を積み重ねて積層体２とし、この積層体２を梱包バンド３等により巻回して固定していた。４５は保護体であり、段ボール紙からなり、積層体２の前端面２１に配置していた。このように梱包されたものは、屋根上まで搬送した後に、梱包を開き、所定位置に平板瓦１を配設（屋根葺き）する。
【０００３】
この平板瓦の梱包構造における保護体４５は、前端面を保護することに加えて、搬送するとき及び屋根上に仮置きしたとき等において、積層体２の滑りを防止することと、屋根上で梱包バンドを切断した後に個々の平板瓦のズレ落ちを防止する。
【０００４】
【発明が解決しようとする課題】
上記した平板瓦の梱包構造は、屋根上で梱包を開き、平板瓦１による屋根葺き作業が終わった状態では、梱包バンドと保護体とが廃材として残る。また、屋根を葺き替えた場合には、瓦廃材も廃材となる。これらの廃材は、産業廃棄材として廃棄処理されるか、再利用材としてリサイクル処理されている。これらの処理をする際に、最近は環境問題の観点から、廃材を種類別に分別して、処理することが必要となっている。上記した従来のものでは、梱包バンドと段ボール紙という２種類（葺き替えでは、瓦廃材が加わって、３種類）の廃材ができることとなる。
【０００５】
本発明は、かかる事由に鑑みてなしたもので、その目的とするところは、廃材処理が効率的に行える平板瓦の梱包構造を提供することにある。
【０００６】
【課題を解決するための手段】
請求項１に係る発明の平板瓦の梱包構造は、複数枚の平板瓦を積み重ねた積層体を巻回する耐水性樹脂製の梱包バンドと、この梱包バンドと同一の材質からなり、積層体の前端面の一部又は全部に密着する保護体とからなることを特徴としたものである。
【０００７】
請求項２に係る発明は、請求項１の構成において、梱包バンドは積層体を横方向に巻回するものであり、保護体はテープ状をなし、両端が梱包バンドに接合されて梱包バンドに直交する方向に配置されてなる。
【０００８】
請求項３に係る発明は、請求項１の構成において、梱包バンドは積層体を横方向に巻回するものであり、前記保護体はシート状とするとともに、両端が梱包バンドに接合されてなる。
【０００９】
請求項４に係る発明は、請求項１の構成において、保護体が前端面を覆うシュリンク梱包からなる。
【００１０】
請求項５に係る発明は、請求項１の構成において、保護体が、接着シールからなる。
【００１１】
請求項６に係る発明は、請求項１乃至５のいずれかの構成において、少なくとも前記梱包バンド又は保護体の表面に滑り防止材を塗布してなる。
【００１２】
【発明の実施の形態】
（実施形態１）
実施形態１を図１に基づいて説明する。１は平板瓦であり、通常、スレートよりなり、平面形状は長辺と短辺を有した略長方形であり、長辺の一方側の両端は面取りがなされている。このものは、例えば、長辺（横方向）が約６０ｃｍ、短辺（縦方向）が約４０ｃｍ、厚さが約５ｍｍである。２は積層体であり、平板瓦１を、面取りの位置を揃えて５枚から１０枚積み重ねたものである。３は梱包バンドであり、耐水性樹脂製であって幅が約５０ｍｍのもの２本でもって積層体２を横方向に巻回し、それぞれ両端を溶着により接合している。この材質としては、通常ポリプロピレンが使用されている。
【００１３】
４１ａ、４１ａは保護体であり、梱包バンド３と同様に耐水性樹脂製、具体的にはポリプロピレン製であるとともに、幅が約５０ｍｍのテープ状をなしている。そして、梱包バンド３の積層体２の前端面２１側のものに、両端を接合してその梱包バンドに直交する方向に配置される。したがって、その状態では、保護体４１ａ、４１ａは、側面視においてコ字状であり、その中間部が積層体２の前端面２１に密着している。
【００１４】
このように梱包された積層体２は、屋根葺きのために、屋根上に搬送される。そして、屋根上において、２本の梱包バンド３は上面の略中央の位置Ａで、鋏等により切断されて、梱包が開かれる。このとき、保護体４１ａ、４１ａと、梱包バンド３により、積層体２は固定されているから、傾斜している屋根上に置かれていても、個々の平板瓦１がズレ落ちることはない。この状態で、積層体２の上方から、１枚ずつ平板瓦１を取り出して、屋根葺きを行う。
【００１５】
屋根葺き作業が終わった状態では、梱包バンド３と保護体４１ａ、４１ａとが廃材として残る。また、屋根を葺き替えた場合には、さらに瓦廃材が廃材として加わる。これらの廃材は、前述したように、種類別に処理することが必要となる。このために、屋根上で、種類別にまとめられて一時的に保管した後、地上に下ろされて、廃材処理場へ搬送される。
【００１６】
本実施形態では、梱包バンド３と保護体４１ａとは、同一材質からなるので、屋根上で、これらを同一種類の廃材としてまとめて保管することができる。したがって、屋根上という、狭くて傾斜している場所での分別作業が削減でき、作業性が向上する。さらに、廃材の処理でも、廃材の種類が低減できるので、従来よりも処理作業が容易となる。
【００１７】
また、梱包バンド３だけでなく、保護体４１ａも耐水性樹脂でできているので、両者とも水に濡れても、強度が劣化することなく、破損することもないので、作業性が良好となる。
【００１８】
また、梱包バンドと保護体とがともに同一形状のテープ状をなすものを用いることで梱包材の点数が少なくなるという利点がある。さらに、２本の横方向の梱包バンドで積層体を固定しているために、同方向の振動に対して強度が増すという利点も有する。さらに、リサイクル処理においても、梱包バンドと保護体を一緒に行うことができる。
【００１９】
（実施形態２）
実施形態２を図２に基づいて説明する。このものにおける平面瓦１、積層体２は実施形態１と同じである。梱包バンド３は、耐水性樹脂製であって幅が約５０ｍｍのもの１本でもって積層体２を横方向に巻回し、それぞれ両端を溶着により接合している。この材質としては、通常ポリプロピレンが使用されている。
【００２０】
４１ｂ、４１ｂは保護体であり、梱包バンド３と同様に耐水性樹脂製、具体的にはポリプロピレン製であるとともに、幅が約５０ｍｍのテープ状をなしている。そして、積層体２の周囲を縦方向に巻回して、両端を接合し、梱包バンド３にも接合する。したがって、その状態では、保護体４１ｂ、４１ｂは、側面視においてロ字状であり、その中間部が積層体２の前端面２１に密着している。
【００２１】
このように梱包された積層体２は、屋根葺きのために、屋根上に搬送される。そして、屋根上において、１本の梱包バンド３は上面の略中央の位置Ａで、保護体４１ｂ、４１ｂは、梱包バンド３よりも後端面側の位置Ａで、鋏等により切断されて、梱包が開かれる。このとき、保護体４１ｂ、４１ｂと、梱包バンド３により、積層体２は固定されているから、傾斜している屋根上に置かれていても、個々の平板瓦１がズレ落ちることはない。この状態で、積層体２の上方から、１枚ずつ平板瓦１を取り出して、屋根葺きを行う。
【００２２】
屋根葺き作業が終わった状態では、梱包バンド３と保護体４１ｂ、４１ｂとが廃材として残る。また、屋根を葺き替えた場合には、さらに瓦廃材が廃材として加わる。これらの廃材は、前述したように、種類別に処理することが必要となる。このために、屋根上で、種類別にまとめられて一時的に保管した後、地上に下ろされて、廃材処理場へ搬送される。
【００２３】
本実施形態でも、梱包バンド３と保護体４１ｂとは、同一材質からなるので、屋根上で、これらを同一種類の廃材としてまとめて保管することができる。したがって、屋根上という、狭くて傾斜している場所での分別作業が削減でき、作業性が向上する。さらに、廃材の処理でも、廃材の種類が低減できるので、従来よりも処理作業が容易となる。
【００２４】
また、梱包バンド３だけでなく、保護体４１ｂも耐水性樹脂でできているので、両者とも水に濡れても、強度が劣化することなく、破損することもないので、作業性が良好となる。
【００２５】
また、梱包バンドと保護体とがともに同一形状のテープ状をなすものを用いることで梱包材の点数が少なくなるという利点がある。さらに、横方向の梱包バンドと２本の縦方向の保護体で積層体２を固定しているために、縦横の両方向の振動に対しても強度が増すという利点がある。さらに、リサイクル処理においても、梱包バンドと保護体を一緒に行うことができる。
【００２６】
（実施形態３）
実施形態３を図３に基づいて説明する。このものの平面瓦１、積層体２、梱包バンド３は、実施形態１と同じであり、保護体が異なる。すなわち、保護体４２は、梱包バンド３と同一の材質、すなわち、耐水性樹脂製、具体的にはポリプロピレン製であり、シート状とするとともに、両端が梱包バンドに接合されてなる。具体的には、これらの梱包バンド３のうち、前端面側の梱包バンドの上面位置から、前端面を経て、この梱包バンドの底面位置まで、積層体２の縦方向に、コ字状をした保護体４２を、積層体２に密着するように配置し、この両端位置Ｂを梱包バンド３に溶着する。この保護体４２は、網目状のシートを用いてもよい。
【００２７】
本実施形態の屋根上での作業形態は、実施形態１と同様なので省略する。
【００２８】
本実施形態でも、実施形態１と同様に、梱包バンドと保護体とが同一の耐水性樹脂でできていることの利点（廃材の分別と処理作業性、水に濡れたときの作業性）がある。また、前端面をシート状の保護体が覆っているために、前端面が傷つきにくくなる。さらに、網目状シートを用いると、降雨のときに排水性が良好となる。
【００２９】
（実施形態４）
実施形態４を図４に基づいて説明する。このものの平面瓦１、積層体２、梱包バンド３は、実施形態２と同じであり、保護体が異なる。すなわち、保護体４３は、梱包バンド３と同一の材質、すなわち、耐水性樹脂製、具体的にはポリプロピレン製であり、シュリンク梱包４３となっている。
【００３０】
実施形態２と同様に、積層体２の横方向に１本の梱包バンド３を巻回して、積層体を固定した後、シュリンク梱包である保護体４３で、積層体２の前端面２１を覆って、積層体を再度固定し、梱包構造とする。
【００３１】
本実施形態の屋根上での作業形態も、実施形態１と同様なので省略する。
【００３２】
本実施形態でも、実施形態１と同様に、梱包バンドと保護体とが同一の耐水性樹脂でできていることの利点がある。また、前端面がシートに覆われているので、前端面が傷つきにくくなる。さらに、梱包バンドと保護体とを接合していないので、梱包作業が容易となる。
【００３３】
（実施形態５）
実施形態５を図５に基づいて説明する。このものの平面瓦１、積層体２、梱包バンド３は、実施形態２と同じであり、保護体が異なる。すなわち、保護体４４は、梱包バンド３と同一の材質、すなわち、耐水性樹脂製、具体的にはポリプロピレン製であり、接着シール４４となっている。
【００３４】
本実施形態では、積層体２の前端面２１の一部に、接着シールである保護体４４を密着することで、前端面を固定する。その後、積層体の横方向に１本の梱包バンドを巻回して、積層体を再度固定して、梱包構造とする。
【００３５】
本実施形態の屋根上での作業形態も、実施形態１と同様なので省略する。
【００３６】
本実施形態でも、実施形態１と同様に、梱包バンドと保護体とが同一の耐水性樹脂でできていることの利点がある。また、梱包バンドと保護と体を接合していないので、梱包作業が容易となる。さらに、梱包バンドと保護体を併せた、梱包材料の使用量が少ないので、廃材量も少なくなる。
【００３７】
（実施形態６）
実施形態６を図６に基づいて説明する。このものの平面瓦１、積層体２、梱包バンド３は、実施形態１と同じであり、保護体が異なる。すなわち、保護体４４は、梱包バンド３と同一の材質、すなわち、耐水性樹脂製、具体的にはポリプロピレン製であり、接着シール４４となっている。
【００３８】
本実施形態では、積層体２の前端面２１の前面に、接着シール４４を密着することで、前端面を固定する。その後、積層体の横方向に２本の梱包バンド３を巻回して、積層体を再度固定して、梱包構造とする。
【００３９】
本実施形態の屋根上での作業形態も、実施形態１と同様なので省略する。
【００４０】
本実施形態でも、実施形態５と同様の利点（廃材量が少なくなるという利点を除く）がある。また、保護体が、前端面を覆っているために、前端面が傷つきにくくなる。さらに、２本の梱包バンドで積層体を固定しているので、横方向の振動に対して強度が増す。
【００４１】
（実施形態７）
実施形態７は、実施形態１乃至６の、少なくとも梱包バンド又は保護体の表面に、滑り防止材を塗布する。滑り防止塗布材としては、通常ゴム又はフォーム状の材料を使用する。
【００４２】
滑り防止材を塗布することにより、搬送する時および屋根上に配置する時に、積層体が滑りにくくなり、平板瓦が傷つきにくくなるという利点がある。
【００４３】
なお、梱包バンドは、１個又は２個としたが、これに限ることなく、３個以上としてもよい。同様に、実施形態１及び２においては、保護体は、２個としたが、１個あるいは３個以上でもよい。
【００４４】
【発明の効果】
請求項１の発明は、梱包バンドと保護体とが同一の耐水性樹脂でできているので、分別作業が容易となり、リサイクル処理においても、梱包バンドと保護体を一緒に行うことができて、廃材処理が効率的に行える。また、梱包バンドおよび保護体が、水に濡れても、破損することがなくなり、作業が容易となるという効果が得られる。
【００４５】
請求項２の発明は、請求項１の効果に加え、梱包バンドと保護体とが同一のバンド状物体からなるとともに複数のバンドを巻回して積層体を固定しているので、梱包部材点数が少なく、振動に対して梱包構造の強度が増すという効果が得られる。
【００４６】
請求項３の発明は、請求項１の効果に加え、前端面がシート状物体で覆われるとともに複数の梱包バンドを巻回して積層体を固定しているので、より前端面が傷つきにくく、横方向の振動に対して梱包構造の強度が増すという効果が得られる。
【００４７】
請求項４の発明は、請求項１の効果に加え、前端面がシュリンク梱包で覆われるとともに梱包バンドと保護体とを接合していないので、より前端面が傷つきにくく、梱包作業が容易となるという効果が得られる。
【００４８】
請求項５の発明は、請求項１の効果に加え、保護体が接着シールからなるので、梱包作業が容易になるという効果が得られる。
【００４９】
請求項６の発明は、請求項１乃至５のいずれかの効果に加え、少なくとも梱包バンド又は前端面の保護物の表面に滑り防止材を塗布しているので、搬送する時および屋根上に配置するときに積層体が滑りにくくなり、平板瓦が傷つきにくくなるという効果が得られる。
【図面の簡単な説明】
【図１】実施形態１の平板瓦の梱包構造を示す斜視図である。
【図２】実施形態２の平板瓦の梱包構造を示す斜視図である。
【図３】実施形態３の平板瓦の梱包構造を示す斜視図である。
【図４】実施形態４の平板瓦の梱包構造を示す斜視図である。
【図５】実施形態５の平板瓦の梱包構造を示す斜視図である。
【図６】実施形態６の平板瓦の梱包構造を示す斜視図である。
【図７】従来の平板瓦の梱包構造を示す斜視図である。
【符号の説明】
１　　　　平板瓦
２　　　　積層体
２１　　　積層体の前端面
３　　　　梱包バンド
４　　　　保護体
４１　　　保護体（テープ状）
４２　　　保護体（シート）
４３　　　保護体（シュリンク梱包）
４４　　　保護体（接着シート）
Ａ　　　　梱包バンドの切断場所
Ｂ　　　　接合個所
【図１】
2004026198.tif 000003
【図２】
2004026198.tif 000004
【図３】
2004026198.tif 000005
【図４】
2004026198.tif 000006
【図５】
2004026198.tif 000007
【図６】
2004026198.tif 000008
【図７】
2004026198.tif 000009